(57)【要約】【課題】    本発明の目的は、つなぎ撮り開始可能な画像データを確認することができ、ユーザの所望の編集位置からつなぎ撮りを開始することを可能とする。【解決手段】  記録媒体に記録される第１の画像データに含まれる所定のデータに基づいて、前記第１の画像データの編集位置を検出し（ステップＳ６０２）、検出される前記編集位置の画像データを表示手段上に再生させ（ステップＳ６０３）、所定の操作入力に対応する前記編集位置から第２の画像データを前記記録媒体に記録する（ステップＳ６０７）。【選択図】  図６
2006294115.tif 000002
【特許請求の範囲】
【請求項１】
記録媒体に記録される第１のデータに含まれる所定のデータに基づいて、前記第１のデータの編集位置を検出する検出手段と、
前記検出手段により検出される前記編集位置のデータを前記記録媒体より再生し、表示装置に表示再生させる表示制御手段と、
所定の操作入力に対応する前記編集位置から第２のデータを前記記録媒体に記録する記録手段とを有することを特徴とする記録再生装置。
【請求項２】
前記表示制御手段は、前記編集位置に対応する前記第１のデータの種類を前記表示装置に表示させることを特徴とする請求項１に記載の記録再生装置。
【請求項３】
前記検出手段は、ＭＰＥＧデータである前記第１のデータ内のＩピクチャ及びＰピクチャを前記編集位置のデータとして検出することを特徴とする請求項１又は２に記載の記録再生装置。
【請求項４】
前記表示制御手段は、前記検出手段により検出される前記編集位置のデータの一覧を前記表示装置に表示させることを特徴とする請求項１乃至３の何れか１項に記載の記録再生装置。
【請求項５】
前記表示装置に表示された前記編集位置のデータの一覧から所望の編集位置を選択するための選択手段を更に有することを特徴とする請求項４に記載の記録再生装置。
【請求項６】
記録媒体に記録される第１のデータに含まれる所定のデータに基づいて、前記第１のデータの編集位置を検出する検出ステップと、
前記検出ステップにより検出される前記編集位置のデータを前記記録媒体より再生し、表示装置に表示させる表示制御ステップと、
所定の操作入力に対応する前記編集位置から第２のデータを前記記録媒体に記録する記録ステップとを含むことを特徴とする記録再生方法。
【請求項７】
請求項６に記載の記録再生方法をコンピュータに実行させるためのプログラム。
【請求項８】
請求項７に記載のプログラムを記録したコンピュータ読み取り可能な記録媒体。
【発明の詳細な説明】
【技術分野】
【０００１】
本発明は、記録媒体に記録されるデータを記録再生可能な記録再生装置及び記録再生方法に関するものである。
【背景技術】
【０００２】
従来、デジタル動画像信号を磁気テープに対して記録再生するデジタルＶＴＲが知られている。また、近年では、デジタル動画像信号をＭＰＥＧ方式で符号化して磁気テープに記録する装置も提案されている（例えば、特許文献１参照）。特許文献１には、テープ上の所定数のトラックを単位として記録するデータに対してエラー訂正符号化処理を施して記録するものが開示されている。従って、テープに記録されている動画像信号の終端部分に引き続いて動画像信号を記録する、いわゆるつなぎ撮りを行う場合にも、このエラー訂正符号化の単位である所定数のトラック単位でつなぎ撮りを行えば、再生時につなぎ部分において再生画像が乱れることなく良好な再生画像を得ることができる。
【０００３】
そのため、特許文献１では、つなぎ撮り開始前に、つなぎ撮り開始部分におけるエラー訂正符号化単位分のデータを再生してメモリに記憶しておき、このメモリ上で新たに記録を開始する動画像信号を合成した後、改めて所定数のトラックを単位としてエラー訂正符号化し、記録している。
【０００４】
【特許文献１】特開２０００−１３４５６８号公報
【発明の開示】
【発明が解決しようとする課題】
【０００５】
上記のように、テープ上に記録されたＭＰＥＧデータに対してつなぎ撮りを行う場合、ＭＰＥＧデータは、フレーム内符号化の画面であるＩピクチャ、前方向予測符号化画面であるＰピクチャ、双方向予測符号化画面であるＢピクチャを組み合わせて符号化しているため、例えば、Ｂピクチャに引き続いてつなぎ撮りを開始してしまった場合、元の画像データの最後の部分を正しく復号することができず、再生画像が乱れてしまう。
【０００６】
そのため、Ｉピクチャ、あるいは、Ｐピクチャのタイミングでつなぎ撮りを行うことで、このような再生時の画像の劣化を防ぐことができる。
【０００７】
しかしながら、特許文献１に開示される発明では、ユーザは、テープ上に記録されている画像データのうち、どのフレームからつなぎ撮りを開始することができるのかということを把握することができないので、自分の意図した位置からつなぎ撮りを行うことができない、という問題があった。
【０００８】
本発明の目的は、つなぎ撮り開始可能な画像データを確認することができ、ユーザの所望の編集位置からつなぎ撮りを開始することを可能とすることにある。
【課題を解決するための手段】
【０００９】
本発明の記録再生装置は、記録媒体に記録される第１のデータに含まれる所定のデータに基づいて、前記第１のデータの編集位置を検出する検出手段と、前記検出手段により検出される前記編集位置のデータを前記記録媒体より再生し、表示装置に表示再生させる表示制御手段と、所定の操作入力に対応する前記編集位置から第２のデータを前記記録媒体に記録する記録手段とを有することを特徴とする。
本発明の記録再生方法は、記録媒体に記録される第１のデータに含まれる所定のデータに基づいて、前記第１のデータの編集位置を検出する検出ステップと、前記検出ステップにより検出される前記編集位置のデータを前記記録媒体より再生し、表示装置に表示させる表示制御ステップと、所定の操作入力に対応する前記編集位置から第２のデータを前記記録媒体に記録する記録ステップとを含むことを特徴とする。
本発明のプログラムは、前記記録再生方法をコンピュータに実行させることを特徴とする。
本発明のコンピュータ読み取り可能な記録媒体は、前記プログラムを記録したことを特徴とする。
【発明の効果】
【００１０】
本発明によれば、記録媒体に記録される第１のデータの編集位置を検出し、その編集位置のデータを再生させ、所定の操作入力があった場合に対応する編集位置から第２のデータを上記記録媒体に記録するように構成したので、つなぎ撮り開始可能なデータを確認することができ、ユーザの所望の編集位置からつなぎ撮りを開始することが可能となる。
【発明を実施するための最良の形態】
【００１１】
以下、本発明を適用した好適な実施形態を、添付図面を参照しながら詳細に説明する。
【００１２】
＜第１の実施形態＞
図１は、本発明の第１及び後述する第２の実施形態に係る記録再生装置の全体構成を示す図である。１０１は、映像の入出力するＶＩＤＥＯ Ｉ／Ｆ、１０２は、音声の入出力するＡＵＤＩＯ Ｉ／Ｆ、１０３は、画像を圧縮、伸張するＭＰＥＧコーデック、１０４は、画像圧縮データを蓄積するバッファを制御するバッファ管理部、１０５は、可変長の画像圧縮データを蓄積するバッファ、１０６は、エラー訂正処理を行うエラー訂正部、１０７は、エラー訂正を行うための作業用のメモリであるＥＣＣ ＷＯＲＫ メモリ、１０８は、編集ポイントを含むＥＣＣユニットを保存するＥＣＣユニットキャプチャメモリ、１０９は、アナログ信号を変調、復調するテープインタフェース、１１０は、各ブロックを制御するマイコン、１１１は、マイコンからの指示でテープを駆動するキャプスタンモータ、１１２は、記録媒体であるテープである。
【００１３】
図１を使用し、磁気テープ上のデータを再生する動作について説明する。マイコン１１０の指示により、転送されているテープ１１２から、回転ドラム上に取り付けられた磁気ヘッドにて、再生されたアナログ信号を取り出す。取り出されたアナログ信号は、テープインタフェース１０９にて復調されデジタルデータに変換される。
【００１４】
また、テープ１１２上のデータは、テープインタフェース１０９で復調され、エラー訂正部１０６に入力される。エラー訂正部１０６は、入力したデータをＥＣＣ ＷＯＲＫメモリ１０７に蓄積し、エラー訂正復号処理を行う。エラー訂正後のデータは、エラー訂正部１０６よりバッファ管理部１０４を通してストリームバッファ１０５に蓄積される。
【００１５】
次に、ストリームバッファ１０５に蓄積されたデータを、ＭＰＥＧコーデック１０３が読出し、デコードし、ＶＩＤＥＯ Ｉ／Ｆ１０１、ＡＵＤＩＯ Ｉ／Ｆ１０２に出力する。
【００１６】
次に記録動作を説明する。マイコン１１０の指示により、ＶＩＤＥＯ Ｉ／Ｆ１０１、ＡＵＤＩＯ Ｉ／Ｆ１０２からの入力信号をＭＰＥＧコーデック１０３によりエンコードし、ストリームバッファ１０５へ蓄積される。蓄積されたエンコードデータは、バッファ管理部１０４を通してエラー訂正部１０６によりエラー訂正符号化処理され、ＥＣＣ ＷＯＲＫメモリ１０７へ蓄積される。ＥＣＣ ＷＯＲＫメモリ１０７に蓄積されたデータは、テープインタフェース１０９で変調され、磁気テープ１１２へ記録される。
【００１７】
図２は、本実施形態における磁気テープ上の記録パターンの一例を示す図である。本実施形態では、磁気テープ１１２上に形成した１６トラック分のデータを一つのエラー訂正符号化の単位（以下、ＥＣＣユニットと称す）としており、テープに対しては、この１６トラックを最小の記録単位として動画像データを記録している。
【００１８】
また、本実施形態では、動画像をＭＰＥＧ方式で符号化して記録しているが、ＭＰＥＧ方式によれば、１フレームの画像データのデータ量がフレーム毎に異なるため、テープ上におけるフレームの境界位置が一定とならない。そのため、つなぎ撮りを行う場合には、つなぎ撮り部分を含むＥＣＣユニットのデータをメモリに記憶した後、メモリ上でつなぎ撮り開始部分のデータを合成して記録しなおしている。
【００１９】
また、図２中の編集ポイントとは、このように新たな記録を開始できるポイントを示す情報であり、本実施形態では、Ｉピクチャ、あるいは、Ｐピクチャの先頭部分に記録されている。ＭＰＥＧ符号化ではフレーム毎のデータ量が変化するため、この編集ポイントを含むＥＣＣユニットと含まないＥＣＣユニットが存在することになる。
【００２０】
図３は、本実施形態における磁気テープ上のＥＣＣユニット（１６トラックのデータ）の一例を示す。テープ上には、記録の最小単位（ＥＣＣユニット）である１６トラック単位で図３に示すようにOuter Parityがつけられており、ＥＣＣユニット単位でエラー訂正を行うことにより、ＥＣＣユニット単位でエラーの有無を判断する。よってこのＥＣＣユニットが記録の最小単位となる。
【００２１】
また、ＥＣＣユニット内には、このＥＣＣユニット内の情報を示すシステムデータが用意されている。システムデータ内には、このＥＣＣユニット内の編集ポイントの有無及び、編集ポイントのＥＣＣユニット内の位置（トラックナンバ及び、後述のシンクブロックナンバ）、編集ポイントから記録されているピクチャのＤＴＳ（Decode Time Stamp）と１つのピクチャが復号のためにＶＢＶバッファ内に留まる時間を示すVBV_Delay値及び、ピクチャの種類が書き込まれている。
【００２２】
図４は、図３における各トラック内の構成を示している。トラック内は、０〜１３８のSync Blockで構成されている。各Sync BlockはSync、ID0、ID1、ID2、Outer Parity又はDATA、そして最後にInner Parityで構成されている。そして、ID0〜2の中には、ＥＣＣユニット内のトラック位置を示すトラックペアNO.およびトラック内のSync Block位置を示すSync Block NO．が含まれる。エラー訂正部１０６は、このトラック内にあるOuter Parity、Inner Parityを用いてＥＣＣユニット単位でエラー検出および訂正を行う。
【００２３】
図５に、本実施形態における記録パターンについて、編集ポイントとピクチャの構成を示す。図５に示すように、本実施形態における記録パターンは、１ＧＯＰが１５フレームからなっており、３フレーム毎に編集ポイントがある構成となっている。
【００２４】
本実施形態では、上述した再生動作の際、ＥＣＣユニット単位のシステムデータにより編集ポイントの有無を判断し、編集ポイントとなる画像のみＭＰＥＧコーデックによりデコード処理し再生する。従って、編集ポイントとなる、Ｉピクチャ及びＰピクチャを再生表示することとなり、３フレーム毎に表示画像が更新することとなる。
【００２５】
図６は、本実施形態に係る記録再生装置の処理の流れを示すフローチャートである。本フローチャートでは、つなぎ撮り開始位置を探すため、ユーザから編集開始位置検索モードの指示があった場合について示している。即ち、上記図５の説明で示したように、編集点となるＩピクチャ及びＰピクチャの再生表示を行い、選ばれた画像より、新たな記録をスタートするシーケンスについて示している。
【００２６】
先ず、記録済みの磁気テープを定常再生する（ステップＳ６０１）。次に、ＥＣＣユニット内のシステムデータを読み込み、編集ポイントの有無を読み込み、編集ポイントを検出する（ステップＳ６０２）。
【００２７】
続いて、編集ポイントが検出された場合、編集ポイントの画像を再生表示すると共に、システムデータの値から、ピクチャの種類を再生画像に重ね合わせ表示する（ステップＳ６０３）。また、このシステムデータを保持する。ピクチャの種類を再生画像に重ね合わせた例を図７に示す。
【００２８】
続いて、STILL再生（画像STOP）が指示されたかどうか判断し（ステップＳ６０４）、STILL再生が指示されれば、ステップＳ６０５へ、STILL再生がされなければ、ステップＳ６０２へ戻り、次の編集ポイントを検出しに行く。
【００２９】
次に、記録開始指示がされたか否かを判断し（ステップＳ６０５）、記録開始指示がされれば、ステップＳ６０６へ、記録開始指示がされなければ、ステップＳ６０４へ戻り、指示待ち状態となる。
【００３０】
記録開始指示がされると、現在STILL再生している画像が記録されている磁気テープの位置へ磁気テープを巻き戻す（ステップＳ６０６）。磁気テープを巻き戻す際には前記システムデータ内の編集ポイントの位置に基づいてテープ位置を判断する。そして、編集ポイントより新たな記録を開始する（ステップＳ６０７）。
【００３１】
以上説明したように、磁気テープを定常再生し、編集ポイントが検出される毎に画像を表示し、ピクチャの種類を表示し、編集ポイントが磁気テープ上のどの画像で、その画像の種類を容易に知ることができ、また、編集したい画像でSTILL再生することにより、その画像より新たな記録を開始することができる。
【００３２】
＜第２の実施形態＞
次に、本発明の第２の実施形態について説明する。本実施形態は、第１の実施形態で再生表示された画像を複数毎に並べて表示するものである。
【００３３】
図８に、本実施形態における画面表示の一例を示す。図８に示すように、第１の実施形態と同様、編集ポイントを検出し、編集ポイントが検出された画像を画面の左上より順次表示するとともに、ピクチャの種類を画像の上に表示し、システムデータを保持する。
【００３４】
STILL表示の指示があるまで、上記動作を順次繰り返し、左上の画像より更新する。STILL表示の支持がされると、画像の更新を止める。
【００３５】
次に、新たな記録を開始する編集ポイントとなる画像を選ぶ。図９に編集ポイントとなる画像を選ぶ場合の表示構成例を示す。図９に示すように、画像枠を表示し、新たな記録を開始する編集ポイントなる画像に移動する。後は、第１の実施形態と同様の処理を行う。
【００３６】
また、ピクチャの種類の表示は、第１及び第２の実施形態に示したような文字よる表示の変わりに、目印となる記号等を用いても構わない。
【００３７】
以上のように、上記実施形態によれば、つなぎ撮り開始位置の画面を容易に認識でき、所望の位置よりつなぎ撮りを開始することが可能となる。
【００３８】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００３９】
この場合、記憶媒体から読み出されたプログラムコード自体が前述した実施形態の機能を実現することになり、プログラムコード自体及びそのプログラムコードを記憶した記憶媒体は本発明を構成することになる。
【００４０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４１】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００４２】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００４３】
【図１】本発明の第１及び第２の実施形態に係る記録再生装置の全体構成を示す図である。
【図２】磁気テープの一例を示す図である。
【図３】磁気テープ上のＥＣＣユニットの一例を示す図である。
【図４】図３における各トラック内の構成を示す図である。
【図５】記録パターンについて、編集ポイントとピクチャの構成を示す図である。
【図６】記録再生装置の処理の流れを示すフローチャートである。
【図７】ピクチャの種類を再生画像に重ね合わせた例を示す図である。
【図８】本発明の第２の実施形態における画面表示の一例を示す図である。
【図９】編集ポイントとなる画像を選ぶ場合の表示構成例を示す図である。
【符号の説明】
【００４４】
１０１  ＶＩＤＥＯ Ｉ／Ｆ
１０２  ＡＵＤＩＯ Ｉ／Ｆ
１０３  ＭＰＥＧコーデック
１０４  バッファ管理部
１０５  ストリームバッファ
１０６  エラー訂正部
１０７  ＥＣＣＷＯＲＫメモリ
１０８  キャプチャメモリ
１０９  テープインタフェース
１１０  マイコン
１１１  キャプスタンモータ
１１２  テープインタフェース
【図１】
2006294115.tif 000003
【図２】
2006294115.tif 000004
【図３】
2006294115.tif 000005
【図４】
2006294115.tif 000006
【図５】
2006294115.tif 000007
【図６】
2006294115.tif 000008
【図７】
2006294115.tif 000009
【図８】
2006294115.tif 000010
【図９】
2006294115.tif 000011